(57)【要約】【課題】  内枠から前枠を開放する際に球払出通路を流下する遊技球の球零れを効果的に抑制することが可能な遊技機を提供する。【解決手段】  球払出通路１５は、内枠３側の上流側通路１７と前枠７側の下流側通路１８とを含み構成され、その上流側通路１７の出口部１８ａが下方に開口するとともに、下流側通路１８の入口部１８ａが上方に開口し、前枠７の閉鎖時に上流側通路１７の出口部１７ａに対応して下流側通路１８の入口部１８ａが配置されて該上流側通路１７と下流側通路１８とが連続することにより遊技球を球受皿９に誘導可能とする。上流側通路１７には、底壁の終端部分を形成するとともに、その終端が進退するように往復動して出口部１７ａの開口面積を拡縮し、該出口部１７ａの遊技球の通過を規制する規制部材３０が設けられている。【選択図】図４
2010166997.tif 000002
【特許請求の範囲】
【請求項１】
遊技盤を保持する内枠の前面側にヒンジを介して開閉可能に前枠が配置され、前記内枠に設けられた球払出装置から払い出された遊技球を前記前枠に設けられた球受皿に誘導する球払出通路を備えた遊技機であって、
前記球払出通路は、前記内枠側の上流側通路と前枠側の下流側通路とを含み構成され、その上流側通路の出口部が下方に開口するとともに、前記下流側通路の入口部が上方に開口し、前記前枠の閉鎖時に前記上流側通路の出口部に対応して下流側通路の入口部が配置されて該上流側通路と下流側通路とが連続することにより前記遊技球を球受皿に誘導可能とし、
前記上流側通路には、底壁の終端部分を形成するとともに、その終端が進退するように往復動して前記出口部の開口面積を拡縮し、該出口部の遊技球の通過を規制する規制部材が設けられ、
前記規制部材は、前記出口部を縮小する方向に付勢部材によって常時付勢されており、前記前枠の開放時に前記出口部の開口面積を縮小して遊技球の流下を堰き止めることを特徴とする遊技機。
【請求項２】
前記下流側通路は、前記前枠の閉鎖に伴い前記規制部材に当接して前記入口部を前記出口部に対応して配置するとともに、そのまま該規制部材を押圧し移動させて前記出口部の開口面積を拡大させる請求項１に記載の遊技機。
【請求項３】
前記規制部材は、前記下流側通路が当接する当接部が前記上流側通路の底壁を構成する上面部の先端よりも上流側に入り込んで該上面部の下側に形成され、前記下流側通路が前記当接部に当接したときに前記入口部を前記上面部の先端の下側に配置可能な請求項２に記載の遊技機。
【請求項４】
前記規制部材は、前記上流側通路本体の底壁の下側で遊技球の流れ方向に沿って突出した状態で往復動可能に配置され、前記上流側通路の底壁を構成する上面部が、該上流側通路本体の底壁に対して段差部を形成する請求項１ないし３のいずれか１項に記載の遊技機。
【請求項５】
前記規制部材は、前記出口部を縮小する前方位置と該出口部を拡大する後方位置との間で前後方向に往復動する請求項１ないし４のいずれか１項に記載の遊技機。
【請求項６】
前記上流側通路は、天井壁の終端部分に上流側通路を流下する遊技球を前記下方に開口する出口部に向けて誘導する誘導部が形成されている請求項１ないし５のいずれか１項に記載の遊技機。
【発明の詳細な説明】
【技術分野】
【０００１】
本発明は、遊技機に関する。
【背景技術】
【０００２】
ぱちんこ機などの遊技機には、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる発射装置の発射位置へ誘導する。そして、前枠には発射ハンドルが設けられ、該発射ハンドルの操作により発射装置を作動させる。
【０００３】
また、内枠の背面側には図柄表示装置の画像処理基板や、ぱちんこ機の動作を制御する主制御基板などを含む制御ユニットが組み付けられている。また、遊技場の遊技機島から供給された遊技球を貯留する補給タンク、補給タンクの遊技球を下流側へ誘導するタンクレール、タンクレールから球圧を分散させながら流下させる球通路、球通路より供給された遊技球を、所定の条件に基づいて賞球・貸球として遊技球を払い出す球払出装置が設けられている。球払出装置から球払出通路を経て払出口より払い出された遊技球は前枠に設けられた球受皿に一時的に貯留される。
【０００４】
遊技者が遊技中に、スタッフが球詰りの解消やぱちんこ機の点検をするために前枠を開放する場合がある。このとき、球受皿が遊技球で満杯で球払出通路まで遊技球で満たされていたり、入賞により賞球の払出し動作が行われていたりすると、球払出通路を流下、或いは停留している遊技球が床などに零れ落ちる可能性がある。ここで、球払出装置から払い出された遊技球は遊技者の球となるため、球零れなどが許されない。
【０００５】
かかる問題を解消するため、機枠のぱちんこ球誘導部の開口部近傍に弾性部材の弾性力により可動する第１可動部を設け、前皿部扉を機枠より開放する際に第１可動部を傾斜させることで遊技球の落下を抑制し、前皿部扉に設けた弾性部材の弾性力により可動する第２可動部（シャッター）を当該前皿部扉の開放に合わせて前皿部後部に移動させて当該前皿部からの遊技球の落下を抑制する技術が提案されている（特許文献１参照）。
【先行技術文献】
【特許文献】
【０００６】
【特許文献１】特開２００２−１１９７１８号公報
【発明の概要】
【発明が解決しようとする課題】
【０００７】
上述した特許文献１の遊技機においては、ぱちんこ球誘導部の傾斜に対して弾性力により第１可動部の下流側を上方に傾斜させて遊技球の流下を抑制するようになっているため、球払出通路を流下する遊技球の勢いが速い場合には前皿部扉の開放により第１可動部が傾斜する前に、或いはその傾斜を乗り越えて遊技球が零れ落ちるおそれがある。また、第１可動部に遊技球が乗っている状態で遊技球の流下を抑制するので、当該第１可動部の傾斜が不十分であると、前皿部扉を開放する途中で第１可動部上の遊技球が後続の遊技球の球圧で零れ落ちるおそれがある。
【０００８】
また、遊技球を払い出す機枠側の第１可動部に加えて前皿部扉にも第２可動部を設けて機枠側のピン操作により可動になるように構成されているので、部品点数が多くなり大型化し構造が複雑化するうえに、製造コストやメンテナンスコストも増大する。
【０００９】
本発明の課題は、上記実情に鑑みてなされたものであり、内枠から前枠を開放する際に球払出通路を流下する遊技球の球零れを効果的に抑制することが可能な遊技機を提供することにある。
【課題を解決するための手段】
【００１０】
上記課題を解決するために、本発明の遊技機は、
遊技盤を保持する内枠の前面側にヒンジを介して開閉可能に前枠が配置され、内枠に設けられた球払出装置から払い出された遊技球を前枠に設けられた球受皿に誘導する球払出通路を備えた遊技機であって、
球払出通路は、内枠側の上流側通路と前枠側の下流側通路とを含み構成され、その上流側通路の出口部が下方に開口するとともに、下流側通路の入口部が上方に開口し、前枠の閉鎖時に上流側通路の出口部に対応して下流側通路の入口部が配置されて該上流側通路と下流側通路とが連続することにより遊技球を球受皿に誘導可能とし、
上流側通路には、底壁の終端部分を形成するとともに、その終端が進退するように往復動して出口部の開口面積を拡縮し、該出口部の遊技球の通過を規制する規制部材が設けられ、
規制部材は、出口部を縮小する方向に付勢部材によって常時付勢されており、前枠の開放時に出口部の開口面積を縮小して遊技球の流下を堰き止めることを特徴とする。
【発明の効果】
【００１１】
上記本発明の遊技機によれば、内枠に設けられた球払出装置から払い出された遊技球を前枠に設けられた球受皿に誘導する球払出通路において、内枠側の上流側通路の底壁の終端が進退するように（例えば、上から見て遊技球の流れ方向に沿って）、出口部の開口面積を拡縮する規制部材が底壁の終端部分を形成する形で設けられている。これによれば、横切りタイプと称されるシャッター（規制部材）において、規制部材が上流側通路の底壁の終端部分を形成するので、その規制部材の先端が下方に開口する出口部の開口縁部の一部を形成することとなり、規制部材の往復動によって直接的に出口部の開口面積を拡縮することができる。
【００１２】
したがって、例えば通路に形成された出口部から規制部材が退避する必要がなくなり、すなわち、出口部から退避する分の移動距離がなくなり、規制部材の往復動の可動範囲（移動距離）を極力小さくして出口部の遊技球の通過を規制することができる。規制部材の移動距離（始動からのタイムラグ）を小さくして、出口部における遊技球の通過及び堰き止めの切り替えを早くすることができるので、上流側通路と下流側通路との境界部分における球噛みや球詰まり、及び球零れを抑制することができる。さらには、規制部材自身の上に停留している、又は流下している遊技球に対して出口部における遊技球の通過を規制するので、一層球噛みや球詰まり、及び球零れを抑制することができる。また、規制部材が底壁の終端を進退させるように往復動するだけという簡単な構造であるため、小型化及びコンパクト化を図ることができ、部品点数が増加することなくコスト低減を図ることができる。
【００１３】
また、球払出通路における下流側通路は、前枠の閉鎖に伴い規制部材に当接して入口部を出口部に対応して配置するとともに、そのまま該規制部材を押圧し移動させて出口部の開口面積を拡大させる構成を採用することができる。逆に、規制部材は、前枠の開放に伴い下流側通路に追従する形で当接して入口部が出口部に対応して配置されたまま出口部の開口面積を縮小させる構成となる。これによれば、前枠の開閉に伴い規制部材が往復動するときには、上流側通路の出口部に対して下流側通路の入口部が対応して配置されるので、球零れを一層抑制することができる。
【００１４】
また、規制部材は、下流側通路が当接する当接部が上流側通路の底壁を構成する上面部の先端よりも上流側に入り込んで該上面部の下側に形成され、下流側通路が当接部に当接したときに入口部を上面部の先端の下側（真下；直下）に配置可能な構成を採用することができる。これによれば、下流側通路が当接する当接部が上面部の先端（底壁の終端）よりも上流側（奥側）に入り込んで形成されているので、下流側通路が当接部に当接して押圧するときに確実に入口部を上面部の先端の下側に配置することができ、球零れを一層抑制することができる。
【００１５】
また、規制部材は、上流側通路本体の底壁の下側で遊技球の流れ方向に沿って突出した状態で往復動可能に配置され、上流側通路の底壁を構成する上面部が、該上流側通路本体の底壁（終端）に対して段差部を形成する構成を採用することができる。これによれば、出口部の近傍に段差部が形成されているので、遊技球の流下に変動を与えて、その遊技球の流下を減速させるとともに、整流されて球詰まりを抑制することができる。
【００１６】
また、規制部材は、出口部を縮小する前方位置と該出口部を拡大する後方位置との間で前後方向に往復動する構成を採用することができる。これによれば、上流側通路の底壁を進退させる規制部材が前後方向に往復動するので、複雑な機構を必要とせず、小型化及びコンパクト化を図ることができる。
【００１７】
上流側通路は、天井壁の終端部分に上流側通路を流下する遊技球を下方に開口する出口部に向けて誘導する誘導部が形成されている。これによれば、下方に開口する出口部に向けてスムーズに遊技球を誘導するので、上流側通路と下流側通路との境界部分における球噛みや球詰まり、及び球零れを抑制することができる。
【図面の簡単な説明】
【００１８】
【図１】本発明の実施形態に係る遊技機の一例を示す正面図である。
【図２】図１の遊技機の背面図である。
【図３】図１の遊技機の前枠開放時の要部拡大図である。
【図４】上流側通路ユニットの側面図及び縦断面図である。
【図５】図４の上流側通路ユニットの分解斜視図である。
【図６】球払出通路の前枠閉鎖時の縦断面図である。
【図７】球零れ防止機構の作動を説明する平面図である。
【発明を実施するための形態】
【００１９】
以下、本発明における実施形態を図面を参照しつつ説明する。
【実施例】
【００２０】
図１及び図２に示すように、遊技機（以下、ぱちんこ機ともいう）１は、そのぱちんこ機１の外郭を形成する額縁状の外枠２を備え、その外枠２の前面に一側をヒンジ２ａ，２ｂを介して軸支して、その前面側に向かって片開き可能に内枠３が支持されている。内枠３には、ガイドレール４により遊技領域５ａが形成された遊技盤５が装着され、その下方に発射機構（図示せず）が設けられている。また、内枠３の一側に遊技盤５の正面を覆うガラスなどの透明板を備えた前枠としてガラス枠６がヒンジ２ｂを介して開閉自在に設けられている。そして、その下方には前枠として球皿枠７がヒンジ２ｃを介して開閉自在に軸支され、その前面に遊技球を貯留し、貯留した遊技球を整流して発射機構に遊技球を供給する球受皿９が設けられている。また、この球受皿９の右下側に遊技球の発射力を調節する発射ハンドル１０が設けられている。
【００２１】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００２２】
内枠３は、図２に示すように、アルミなどの金属や合成樹脂により縦長方形状で、中央に窓部１１が開設された枠状に形成されている。窓部１１の背面上方には、遊技機島の補給経路（図示せず）から補給される遊技球を貯留する補給タンク１２が設けられている。また、補給タンク１２の下流側に遊技球を整列して流下させる直線及び屈曲状の球誘導路１３が設けられている。また、その球誘導路１３の下流側には所定個数の遊技球を計数して払い出す球払出装置１４が設けられている。そして、その球払出装置１４の下流側には、該球払出装置１４から払出された遊技球を払出口９ａから球受皿９（図１参照）へと誘導する球払出通路１５が設けられている。球払出通路１５には、球皿枠（前枠）７の開放時における遊技球の零れを防止する球零れ防止機構１６を備えている。ここで、球零れ防止機構１６は、内枠３に対して球皿枠７が閉鎖時には、球払出装置１４から払い出された遊技球の球払出通路１５における流下を許容し、球皿枠７の開放時には、球払出通路１５における遊技球の流下を堰き止める。
【００２３】
以下、球零れ防止機構１６について詳しく説明する。まず先に、球零れ防止機構１６を形成する前提として、球払出通路１５は、図３及び図６に示すように、内枠３側に設けられる上流側通路１７と、球皿枠７（前枠）側に設けられる下流側通路１８とを含み構成されている。そして、球払出通路１５は、上流側通路１７の出口部１７ａが下方に開口するとともに、下流側通路１８の入口部１８ａが上方に開口し、球皿枠７の閉鎖時に上流側通路１７の出口部１７ａに対応して下流側通路１８の入口部１８ａが配置されて該上流側通路１７と下流側通路１８とが連続することにより払出装置１４から払い出された遊技球を払出口９ａから球受皿９に誘導可能となっている。
【００２４】
したがって、球零れ防止機構１６は、後述する規制部材３０を備えた上流側通路１７としての上流側通路ユニットＵＴと、下流側通路１８とを含み構成されている。
【００２５】
上流側通路ユニットＵＴは、図４及び図５に示すように、主として上流側通路１７を形成する上流側通路本体２０と、上流側通路１７の底壁の終端部分を形成する規制部材３０とを備えている。規制部材３０は、底壁の終端が進退するように往復動して出口部１７ａの開口面積を拡縮し、該出口部１７ａの遊技球の通過を規制するものである。また、上流側通路ユニットＵＴは、規制部材３０を出口部１７ａを縮小する方向に常時付勢する付勢部材としてのコイルばね４０と、規制部材３０を上記往復動可能に保持する保持部材５０とを備えている。
【００２６】
具体的には、上流側通路本体２０は、Ｌ字状の角筒状形態をなし、鉛直方向に延出する鉛直部２１と、水平方向に延出する水平部２２とを備えている。上流側通路本体２０は、鉛直部２１の端部に上流側開口２１ａと、水平部２２の端部に下流側開口２２ａを形成している。水平部２２は、遊技球が鉛直部２１側から下流側開口２２ａに向けて転動（流下）するように僅かに下り傾斜した底壁部２３と、その底壁部２３に対向する天井壁部２４と、底壁部２３と天井壁部２４との両辺を繋ぐ一対の側壁部２５とを備えている。
【００２７】
底壁部２３の下面側には、規制部材３０をガイドするガイドリブ２３ａと、保持部材５０をビスなどの締結部材６０によって固定する固定ボス２３ｂとが形成されている。天井壁部２４には、終端部分に上流側通路１７を流下する遊技球を下方に開口する出口部１７ａ（下流側開口２２ａ）に向けて誘導する誘導部２４ａが形成されている。一対の側壁部２５の外側には、保持部材５０に形成された係止爪５５が係止される係止穴２５ａが形成されている。
【００２８】
次に、規制部材３０は、板状形態をなし、上流側通路１７の底壁を構成する上面部３１と、コイルばね４０の一端を固定する突起部３２と、規制部材３０が所定範囲で往復動するために両側に形成された一対のガイド片３３，３３と、下流側通路１８が当接する当接部３４とを備えている。
【００２９】
規制部材３０は、上流側通路本体２０の水平部２２の底壁２３の下側で、上から見て、遊技球の流れ方向に沿って突出した状態で往復動（図７（ｂ）の矢印Ｑ参照）可能に配置されている。これにより、規制部材３０が板状形態で前後方向に往復動するので、正面視の投影面積の高さが小さくなり、遊技機の設計の自由度を広げることができる。さらには、上流側通路１７の底壁を構成する上面部３１が、上流側通路本体２０の水平部２２における底壁２３に対して段差部２３ｃを形成する。すなわち、底壁２３の終端（下流側開口２２ａ）において、底壁２３の厚み分が遊技球の流下を変動させる段差として利用されている。
【００３０】
規制部材３０は、上流側通路１７の出口部１７ａを縮小する前方位置（図４（ａ），図７（ｂ）参照）と該出口部１７ａを拡大する後方位置（図６，図７（ａ）参照）との間で前後方向に往復動するように固定されている。そして、規制部材３０は、コイルばね４０によって常時前方位置側に向けて付勢されており、球皿枠７の開放時に出口部１７ａの開口面積を縮小して遊技球の流下を堰き止める。なお、上流側通路１７の出口部１７ａとは、上流側通路本体２０の下流側開口２２ａと規制部材３０の上面部３１の先端部３５によって構成される。
【００３１】
上面部３１は、上流側に位置する平坦面３１ａと下流側に位置する傾斜面３１ｂとを備えている。平坦面３１ａは、規制部材３０が上流側通路１７の出口部１７ａを拡大する後方位置（図６参照）のときに、上流側通路本体２０の水平部２２の底壁２３の下側に没入するように形成されている。すなわち、規制部材３０が出口部１７ａを縮小する前方位置（図４（ａ）参照）のときには、傾斜面３１ｂだけが底壁２３から露出（上流側通路１７の底壁を形成）するので、停留することなく遊技球が流下することができる。さらには、平坦面３１ａを形成することで、遊技球の流下を堰き止める場合に、その流下の勢いを抑制又は停留している状態を維持することが可能となり、球皿枠７の開閉時における球零れを効率よく抑制することができる。なお、平坦面３１ａは、上流側通路本体２０の底壁２３の下面側のガイドリブ２３ａにガイドされるガイド面としての役割を担う。
【００３２】
当接部３４は、上面部３１の先端部３５よりも上流側に入り込んで該上面部３１の下側に形成されている。下流側通路１８が当接部３４に当接したときに入口部１８ａを上面部３１の先端の下側（真下；直下）に配置可能となる。
【００３３】
続いて、保持部材５０は、図４及び図５に示すように、上面を開放した溝状形態（断面Ｕ字状形態）に形成され、区画壁５１によって規制部材３０及びコイルばね４０を収容する収容部５２が形成されている。区画壁５１には、コイルばね４０の一端を固定する突起部５３が形成されている。また、保持部材５０には、上流側通路本体２０の底壁２３の下側に取り付けられたときに、その底壁２３の下面とで規制部材３０のガイド片３３を案内するための長孔を形成する切欠部５４が一対形成されている。保持部材５０には、上流側通路本体２０の底壁２３の下側に取り付けるための係止爪５５と、締結部材６０が挿通される貫通孔５６が形成されている。
【００３４】
このように、球払出通路１５の上流側通路１７の終端部分に、通路と規制部材３０とを備えた上流側通路ユニットＵＴを配置することで、規制部材やその駆動機構を内枠３に組み付けるといった煩雑な作業がなくなり、内枠３へ組み付けを簡単に行うことが可能となる。なお、上流側通路１７は、内枠３に一体的に形成することもでき、その場合にも同様に、規制部材３０を保持部材５０によって保持して取り付けることができる。
【００３５】
続いて、下流側通路１８は、図３及び図６に示すように、球皿枠７の後面側に払出口９ａの開口縁に対応して設けられ、溝状形態をなして形成されている。すなわち、下流側通路１８は、上面全体が開放する形で入口部１８ａを形成している。具体的には、下流側通路１８は、入口部１８ａから払出口９ａに向けて転動（流下）するように下り傾斜した底壁部１８ｂと、その底壁部１８ｂの両側で立ち上がる側壁部１８ｃとによって溝状形態をなして形成されている。また、底壁部１８ｂの先端部分には、上流側通路本体２０の誘導部２４ａに対応して誘導受部１８ｄが形成されている。そして、底壁部１８ｂ（誘導受部１８ｄ）の先端部が、規制部材３０の当接部３４に当接して押圧する押圧部１９として形成されている。
【００３６】
次に、球皿枠７の開閉動作に伴う球零れ防止機構１６の作動について説明する。図６及び図７（ａ）に示すように、球皿枠７の閉鎖時には、下流側通路１８の底壁部１８ｂの押圧部（先端部）１９が規制部材３０の当接部３４に当接して該規制部材３０をコイルばね４０の付勢力に抗して後方位置に保持している。すなわち、下流側通路１８の入口部１８ａが上流側通路１７の出口部１７ａに対応して配置されるとともに、そのまま規制部材３０を押圧し移動させて（図７（ｂ）矢印Ｐの閉鎖方向）出口部１７ａの開口面積を拡大した状態で保持している。これにより、球払出通路１５として上流側通路１７と下流側通路１８とが連続した状態となるので、球払出装置１４から払い出された遊技球が払出口９ａを介して球受皿９へ払い出される。
【００３７】
なお、本実施形態においては、上流側通路１７及び下流側通路１８の境界部分において、出口部１７ａが下方に開口し、入口部１８ａが上方に開口されて水平方向で遮断する横切りタイプのシャッター（球零れ防止構造）を採用しつつも、誘導部２４ａと誘導受部１８ｄの傾斜に沿って遊技球が流下するように接続されている。これによれば、上流側通路１７と下流側通路１８とを高さ位置において重複した形で連続的に接続することが可能となり、正面視における投影面積の高さを低くすることができる。
【００３８】
そして、規制部材３０が上流側通路１７の底壁の終端部分を形成することで、傾斜して流下する通路は鉛直方向に流下（落下）する通路に比べて水平方向の断面積が大きくなるが、その場合にも瞬時に通路を遮断することが可能となる。さらには、規制部材３０に直接的に遊技球が衝突することがなくなるので、破損することなく製品の長寿命化を図ることができる。
【００３９】
また、図４（ｂ）に示すように、球皿枠（前枠）７の閉鎖時において、規制部材３０によって堰き止められた遊技球のうち、最前の遊技球を規制部材３０（上面部３１）と誘導部２４ａとで支持することができるので、安定的に球圧を受け止めることができる。ひいては、球零れを抑制することができる。なお、誘導部２４ａの上面の傾斜を利用して下流側通路１８にファール球を誘導する構成とすることもできる。
【００４０】
そして、球皿枠（前枠）７の開放時には、図４（ｂ）及び図７（ｂ）に示すように、球皿枠７とともに下流側通路１８が上流側通路ユニットＵＴから矢印Ｐの開放方向に離間するため（図３参照）、下流側通路１８の底壁部１８ｂの押圧部１９による規制部材３０の当接部３４への押圧力が解除され、規制部材３０がコイルばね４０の付勢力によって前方位置に移動する。すなわち、規制部材３０が下流側通路１８に追従して前方に移動し、上流側通路１７の出口部１７ａの開口面積を縮小した状態で保持されて、下流側通路１８が上流側通路１７から離間していく。これにより、球払出通路１５として上流側通路１７と下流側通路１８とが分断された状態となり、かつ、規制部材３０が上流側通路１７の出口部１７ａで遊技球の流下を堰き止める。ひいては、球受皿９が遊技球で満杯で球払出通路１５まで遊技球で満たされていたり、入賞により賞球の払出し動作が行われていたりしたときでも球払出通路を流下、或いは停留している遊技球が床などに零れ落ちることなく、良好に球皿枠（前枠）７を開閉することができる。
【００４１】
本発明では遊技機の一例としてぱちんこ機について説明したが、他に例えばアレンジボール遊技機、雀球遊技機等の球払出装置が設けられる遊技機に適用することができる。
【符号の説明】
【００４２】
１  ぱちんこ機（遊技機）
２  外枠
３  内枠
５  遊技盤
６  ガラス枠（前枠）
７  球皿枠（前枠）
９  球受皿
９ａ  払出口
１４  球払出装置
１５  球払出通路
１６  球零れ防止機構
１７  上流側通路
１７ａ  出口部
１８  下流側通路
１８ａ  入口部
２０  上流側通路本体
２１  鉛直部
２１ａ  上流側開口
２２  水平部
２２ａ  下流側開口
２３  底壁部
２４  天井壁部
２４ａ  誘導部
２５  側壁
３０  規制部材
３１  上面部
３２  突起部
３３  ガイド片
３４  当接部
３５  先端
４０  コイルばね（付勢部材）
５０  保持部材
５１  区画壁
５２  収容部
５３  突起部
５４  切欠部
５５  係止爪
６０  締結部材
ＵＴ  上流側通路ユニット
【図１】
2010166997.tif 000003
【図２】
2010166997.tif 000004
【図３】
2010166997.tif 000005
【図４】
2010166997.tif 000006
【図５】
2010166997.tif 000007
【図６】
2010166997.tif 000008
【図７】
2010166997.tif 000009